(57)【要約】【課題】眼鏡又はコンタクトレンズからなる近視矯正レンズあるいは遠視矯正レンズにおいて、装着者の瞳孔を通って眼軸に対して斜めに入射する光線も、網膜上に焦点を結ぶようにする。【解決手段】眼軸長さ変化抑制型視力矯正レンズ１０は近視矯正用であって、レンズ中央部１０Ａに対して、その外側の外側領域１０Ｂの焦点距離を、眼軸１４上のレンズ焦点距離よりも短くし、外側領域１０Ｂに、装着者の瞳孔１２を通って眼軸１４に対して斜めに入射する光線が網膜１６上に焦点を結ぶようにして、眼軸長さの反矯正方向への変化を抑制するようにした。【選択図】図１
2016212163.tif 000002
【特許請求の範囲】
【請求項１】
眼鏡又はコンタクトレンズからなる近視矯正レンズにおけるレンズ中央部の外側領域を、装着者の瞳孔を通って眼軸に対して斜めに入射する光線が網膜上に焦点を結び、その焦点距離が、眼軸上のレンズ焦点距離よりも短くなるようにしたことを特徴とする眼軸長さの反矯正方向への変化を抑制する眼軸長さ変化抑制型視力矯正レンズ。
【請求項２】
請求項１において、
前記外側領域は、前記レンズ中央部を順次取囲む３以上の複数領域からなり、この複数領域は、少なくとも前記レンズ中央部の外側を囲む内周領域、最もレンズ外周側の外周領域、前記内周領域と外周領域との間の中間領域を含んでなり、前記レンズ中央部の焦点距離に対して、前記内周領域、中間領域、外周領域の順で段階的に焦点距離が短くなるようにされたことを特徴とする眼軸長さ変化抑制型視力矯正レンズ。
【請求項３】
眼鏡又はコンタクトレンズからなる遠視矯正レンズにおけるレンズ中央部の外側領域を、装着者の瞳孔を通って眼軸に対して斜めに入射する光線が網膜上に焦点を結び、その焦点距離が、眼軸上のレンズ焦点距離よりも長くなるようにしたことを特徴とする眼軸長さの反矯正方向への変化を抑制する眼軸長さ変化抑制型視力矯正レンズ。
【請求項４】
請求項３において、
前記外側領域は、前記レンズ中央部を順次取囲む３以上の複数領域からなり、この複数領域は、少なくとも前記レンズ中央部の外側を囲む内周領域、最もレンズ外周側の外周領域、前記内周領域と外周領域との間の中間領域を含んでなり、前記レンズ中央部の焦点距離に対して、前記内周領域、中間領域、外周領域の順で段階的に焦点距離が長くなるようにされたことを特徴とする眼軸長さ変化抑制型視力矯正レンズ。
【発明の詳細な説明】
【技術分野】
【０００１】
本発明は、眼鏡又はコンタクトレンズからなる視力矯正レンズの使用によって、眼軸が反矯正方向に変化することを抑制する眼軸長さ変化抑制型視力矯正レンズに関する。
【背景技術】
【０００２】
眼鏡又はコンタクトレンズからなる視力矯正レンズにおいては、眼球における眼軸上で、網膜に焦点を結ぶようにレンズ焦点が設定されている。網膜と視力矯正レンズの焦点との関係は、例えば非特許文献１に示されている。
【０００３】
ここでは、視力矯正レンズの焦点は３次元曲面であるイメージシェルにより示されていて、近視矯正レンズの場合の焦点Ｆｉは、図５に２点鎖線で示されるイメージシェルＩｓ上で、眼軸４上以外は網膜６の背後にある。符号３は水晶体を示す。
【０００４】
これは、近視矯正レンズ１におけるレンズ中央部１Ａの外側領域１Ｂから瞳孔２を通って眼軸４に対して斜めに入射する光線が、網膜よりも後側に焦点を結ぶからである。換言すれば、近視矯正レンズ１の屈折度は、眼軸４上では適正であっても、外側領域１Ｂでは過矯正となっている。
【０００５】
このため、近視矯正レンズ１を使用していると、網膜６の眼軸４から離れた周辺部における部分はイメージシェルＩｓに重なるように変形していき、結果として眼球全体が眼軸が長くなる方向に変形してしまうことが知られている。すなわち、矯正方向と反対方向に眼軸が長く変化してしまう。
【０００６】
上記に対して、遠視矯正レンズ１１の場合の焦点Ｆｉは、図６に２点鎖線で示されるイメージシェルＩｓ上で、眼軸４上以外は網膜６の前側にある。
【０００７】
これは、遠視矯正レンズ１１におけるレンズ中央部１１Ａの外側領域１１Ｂから瞳孔２を通って眼軸４に対して斜めに入射する光線が、網膜よりも前側に焦点を結ぶからである。換言すれば、遠視矯正レンズ１１の屈折度は、眼軸４上では適正であっても、外側領域１１Ｂでは近視矯正レンズ１の場合とは反対方向に過矯正となっている。
【０００８】
このため、遠視矯正レンズを使用していると、眼球が眼軸上でのレンズと網膜との距離が短くなる方向に変化し、これによって眼軸の長さが反矯正方向に短く変化してしまうことが知られている。
【０００９】
他方、睡眠中にコンタクトレンズにより角膜をレンズ形状に附形して、裸眼での近視あるいは遠視を矯正する方法が知られている。
【００１０】
非特許文献１に記載されるように、角膜に附形されたレンズ形状部の焦点距離を、例えば、近視矯正の場合は、眼軸上の焦点が網膜よりもわずかに前方になるように（いわゆる前ピン）すると同時に、角膜のレンズ形状部における中央部よりも外側領域に、装着者の瞳孔を通って眼軸に対して斜めに入射する光線の焦点が網膜位置となるようにして、眼軸の長さの反矯正方向への変化を抑制する方法が開示されているが、眼軸上のレンズ焦点距離が短くなって、網膜から前方に焦点がずれてしまうので、わずかではあるがピンぼけを生じてしまうという問題点が残る。
【先行技術文献】
【非特許文献】
【００１１】
【非特許文献１】Global CONTACT 2014-Issue2,Ortho-K by Martin Conway
【発明の概要】
【発明が解決しようとする課題】
【００１２】
本発明は、上記従来の問題点に鑑みてなされたものであって、眼鏡又はコンタクトレンズからなる近視又は遠視矯正レンズにおいて、レンズ中央部の外側領域から装着者の瞳孔を通って眼軸に対して斜めに入射する光線により、眼軸の長さが反矯正方向に変化することを抑制できる眼軸長さ変化抑制型視力矯正レンズを提供することを課題とする。
【００１３】
ここで、レンズ中央部とは、装着者の瞳孔を通って入射し、網膜上に焦点を結ぶ光線が通る範囲とする。
【課題を解決するための手段】
【００１４】
本発明者は、鋭意研究の結果、眼鏡又はコンタクトレンズからなる視力矯正レンズにおけるレンズ中央部の外側領域から装着者の瞳孔を通って眼軸に対して斜めに入射する光線の焦点距離が、眼軸上の焦点距離よりも短くなる、あるいは、長くなるようにした視力矯正レンズを完成した。
【００１５】
即ち、以下の実施例により上記課題を解決するものである。
【００１６】
（１）眼鏡又はコンタクトレンズからなる近視矯正レンズにおけるレンズ中央部の外側領域を、装着者の瞳孔を通って眼軸に対して斜めに入射する光線が網膜上に焦点を結び、その焦点距離が、眼軸上のレンズ焦点距離よりも短くなるようにしたことを特徴とする眼軸長さの反矯正方向への変化を抑制する眼軸長さ変化抑制型視力矯正レンズ。
【００１７】
（２）前記外側領域は、前記レンズ中央部を順次取囲む３以上の複数領域からなり、この複数領域は、少なくとも前記レンズ中央部の外側を囲む内周領域、最もレンズ外周側の外周領域、前記内周領域と外周領域との間の中間領域を含んでなり、前記レンズ中央部の焦点距離に対して、前記内周領域、中間領域、外周領域の順で段階的に焦点距離が短くなるようにされたことを特徴とする（１）に記載の眼軸長さ変化抑制型視力矯正レンズ。
【００１８】
（３）眼鏡又はコンタクトレンズからなる遠視矯正レンズにおけるレンズ中央部の外側領域を、装着者の瞳孔を通って眼軸に対して斜めに入射する光線が網膜上に焦点を結び、その焦点距離が、眼軸上のレンズ焦点距離よりも長くなるようにしたことを特徴とする眼軸長さの反矯正方向への変化を抑制する眼軸長さ変化抑制型視力矯正レンズ。
【００１９】
（４）前記外側領域は、前記レンズ中央部を順次取囲む３以上の複数領域からなり、この複数領域は、少なくとも前記レンズ中央部の外側を囲む内周領域、最もレンズ外周側の外周領域、前記内周領域と外周領域との間の中間領域を含んでなり、前記レンズ中央部の焦点距離に対して、前記内周領域、中間領域、外周領域の順で段階的に焦点距離が長くなるようにされたことを特徴とする（３）に記載の眼軸長さ変化抑制型視力矯正レンズ。
【発明の効果】
【００２０】
本発明によれば、視力矯正レンズにおけるレンズ中央部を囲む外側領域に斜めに入射する光線が網膜上に焦点を結ぶので、レンズ使用による眼軸長さの反矯正方向への変化を抑制することができるという効果を有する。
【図面の簡単な説明】
【００２１】
【図１】本発明の実施例１にかかる近視矯正用の眼軸長さ変化抑制型視力矯正レンズを眼球とともに模式的に表す断面図
【図２】図１のII−II線視図
【図３】本発明の実施例２にかかる遠視矯正用の眼軸長さ変化抑制型視力矯正レンズを眼球とともに模式的に表す断面図
【図４】図３のIV−IV線視図
【図５】従来の近視矯正用レンズの使用時におけるレンズ焦点と網膜との関係を模式的に示す断面図
【図６】従来の遠視矯正用レンズの使用時におけるレンズ焦点と網膜との関係を模式的に示す断面図
【発明を実施するための形態】
【００２２】
以下、本発明の実施例を図面を参照して説明する。
【００２３】
［実施例１］
本発明の実施例１にかかる眼軸長さ変化抑制型視力矯正レンズ（以下レンズ）１０は、図１に示されるように、近視矯正用眼鏡であって、レンズ中央部１０Ａと、その周囲を取り囲む外側領域１０Ｂとを有している。ここで、レンズ中央部１０Ａは、装着者の瞳孔１２を通って眼軸１４に沿って入射する光線が網膜１６上に焦点を結ぶように、その焦点距離が設定されている範囲をいう。図１の符号１３は水晶体を示す。
【００２４】
又、レンズ中央部１０Ａを取り囲む外側領域１０Ｂは、装着者の瞳孔１２を通って眼軸１４に対して斜めに入射する光線が網膜１６上に焦点を結ぶように、そのジオプトリーが設定されている。なお、ジオプトリーとはレンズの屈折度数をいい、「Ｄ」で示される。近視矯正用レンズの場合は、例えば−３．０のように「−」が付されてＤ＝−３．０と表され、遠視矯正用レンズの場合は、＋３．０のように「＋」が付されてＤ＝＋３．０と表される。
【００２５】
詳細には、近視矯正用のレンズ１０の外側領域１０Ｂは、図２に示されるように、レンズ中央部１０Ａの外側を囲む内周領域１０Ｂ−１、最もレンズ外周側の外周領域１０Ｂ−３、両者の間の中間領域１０Ｂ−２から構成されて、表１に示されるように、各領域のジオプトリーは、例えばレンズ中央部１０Ａで−６．０としたとき、外側領域１０Ｂのうちの最も内側の内周領域１０Ｂ−１は−５．５、中間領域１０Ｂ−２は−５．０、外周領域１０Ｂ−３は−４．０のように設定されている。
【００２６】
【表１】
2016212163.tif 000003
【００２７】
即ち、レンズ中央部１０Ａに対して、外側領域１０Ｂでは、中心から外側に向かってジオプトリーが段階的に小さくなるように設定されている。
【００２８】
ここで、図１において二点鎖線で示されるレンズ１１のように、レンズ全体をジオプトリーの変化なしに（外側領域のジオプトリーがレンズ中央部のジオプトリーと同一）設定した場合は、外側領域１０Ｂ及び瞳孔１２を通って、眼軸１４に対して斜めに入射する光線はイメージシェルＩｓ上に焦点が位置する。
【００２９】
このイメージシェルＩｓは、レンズ１０から入射する全ての光の焦点を含む球面の一部であり、外側領域１０Ｂから斜めに入射する光線の焦点Ｆｉは、網膜１６の背後になっている。
【００３０】
これに対して、表１に示されるように、ジオプトリーがレンズ中央部１０Ａに対して外側ほど小さくなるようにレンズ１０を設定すると、図１に示されるように、眼軸１４から遠い位置程焦点距離が短くなるので、予め、外側領域１０Ｂのジオプトリーを調整して、全ての斜め入射の光線の焦点１８を網膜１６上に位置させることができる。
【００３１】
従って、実施例１のレンズ１０における、斜め入射光の、イメージシェルＩｓ上の焦点Ｆｉは、網膜１６上の焦点１８に移動され、これにより、レンズ１０の使用中に、眼軸１４上の中央部を囲む周辺部における網膜１６が、斜め入射光の焦点Ｆｉに向けて変化すること、即ち眼軸長さが反矯正方向に変化することを抑制できる。
【００３２】
なお、レンズによる視力矯正は、眼軸１４上での焦点位置が網膜１６上にあるように、ジオプトリーを選択すれば適正であり、眼軸１４から離れた周辺部に焦点位置があるレンズの外側領域１０Ｂのジオプトリーが、レンズ中央部１０Ａのジオプトリーとずれがあっても視力に影響はない。
【００３３】
次の実施例２の場合も同様である。
【００３４】
[実施例２]
次に、図３及び図４に示される本発明の実施例２に係る眼軸長さ変化抑制型視力矯正レンズ（以下レンズ）３０について説明する。
【００３５】
この実施例２に係るレンズ３０は、遠視矯正用眼鏡であって、レンズ中央部３０Ａは、装着者の瞳孔１２を通って眼軸１４に沿って入射する光線が網膜１６上に焦点を結ぶように、その焦点距離が設定されている。
【００３６】
又、レンズ３０における、レンズ中央部３０Ａを取囲む外側領域３０Ｂは、装着者の瞳孔１２を通って眼軸１４に対して斜めに入射する光線が網膜１６上に焦点を結ぶように、そのジオプトリーが設定されている。
【００３７】
詳細には、遠視矯正用のレンズ３０の外側領域３０Ｂは、図４に示されるように、レンズ中央部３０Ａの外側を囲む内周領域３０Ｂ−１、最もレンズ外周側の外周領域３０Ｂ−３、両者の間の中間領域３０Ｂ−２から構成されていて、表２に示されるように、各領域のジオプトリーは、例えばレンズ中央部３０Ａで、＋６．０としたとき、外側領域３０Ｂのうち最も内側の内周領域３０Ｂ−１は＋５．５、中間領域３０Ｂ−２は＋５．０、外周領域３０Ｂ−３は＋４．０のように設定されている。
【００３８】
【表２】
2016212163.tif 000004
【００３９】
即ち、レンズ中央部３０Ａに対して、外側領域３０Ｂでは、中心から外側に向かってジオプトリーが段階的に小さくなるように設定されている。
【００４０】
ここで、図３において、二点鎖線で示されるレンズ３１は、レンズ全体を、ジオプトリーの変化なしに（外側領域のジオプトリーがレンズ中央部のジオプトリーと同一）設定した場合は、外側領域３０Ｂ及び瞳孔１２を通って眼軸１４に対して斜めに入射する光線は、イメージシェルＩｓ上に焦点が位置する。このイメージシェルＩｓは、レンズ３０から入射する全ての光の焦点を含む球面の一部であり、外側領域３０Ｂから斜めに入射する光線の焦点Ｆｉは、遠視矯正用レンズの場合、網膜１６の前側になっている。
【００４１】
これに対して、表２に示されるように、ジオプトリーがレンズ中央部３０Ａに対して外側ほど小さくなるようにレンズ３０を設定すると、図３に示されるように、眼軸１４から遠い位置ほど焦点距理が長くなるので、予め、外側領域のジオプトリーを調整することによって全ての斜め入射の光線の焦点１９を網膜１６上に位置させることができる。
【００４２】
従って、実施例２のレンズ３０における、斜め入射光の、イメージシェルＩｓ上の焦点Ｆｉは、網膜１６上の焦点１９に移動され、これにより、レンズ３０を使用中に、網膜１６が斜め入射光の焦点Ｆｉに向けて変化すること、即ち眼軸長さが反矯正方向に変化することを抑制できる。
【００４３】
なお、上記実施例１及び２において、外側領域１０Ｂ、３０Ｂは、それぞれ３つの領域に分けられて、ジオプトリーが異なるようにしているが、本発明はこれに限定されるものでなく、外側領域１０Ｂ、３０Ｂを、４以上の領域に分けて、ジオプトリーを変化させても良い。
【００４４】
又、上記実施例１、２はそれぞれ眼鏡用のレンズの場合のものであるが、本発明はこれに限定されるものでなく、コンタクトレンズにも適用されるものである。
【産業上の利用可能性】
【００４５】
本発明は、近視あるいは遠視の視力矯正レンズとして広く利用することができる。
【符号の説明】
【００４６】
１０、３０…眼軸長さ変化抑制型視力矯正レンズ（レンズ）
１０Ａ、３０Ａ…レンズ中央部
１０Ｂ、３０Ｂ…外側領域
１０Ｂ−１、３０Ｂ−１…内周領域
１０Ｂ−２、３０Ｂ−２…中間領域
１０Ｂ−３、３０Ｂ−３…外周領域
１２…瞳孔
１３…水晶体
１４…眼軸
１６…網膜
１８、１９、Ｆｉ…焦点
Ｉｓ…イメージシェル
【図１】
2016212163.tif 000005
【図２】
2016212163.tif 000006
【図３】
2016212163.tif 000007
【図４】
2016212163.tif 000008
【図５】
2016212163.tif 000009
【図６】
2016212163.tif 000010